(57)【要約】【課題】撮影画像を簡単な操作で表示装置に表示させ、未表示画像をチェックし、撮影画像を分類管理する撮影画像表示システムを提供する。【解決手段】撮影画像表示システム１は、例えば写真撮影スタジオ等に設置し、デジタルカメラ３で顧客の写真を撮影すると同時に、表示処理装置９は無線ＬＡＮアダプタ７を介して、当該撮影画像を読み出す。表示処理装置９が撮影画像に必要に応じて現像処理や色変換処理を施して、表示パネルなどの大型表示装置１３に撮影画像を表示させる。カメラ３の操作者は、表示装置１３に撮影画像を表示させ、顧客と相談しつつ撮影画像の取捨区分(印刷要否指示)等を指定して分類し、保存用フォルダに登録する。尚、保存用フォルダは、顧客別、イベント別、及び取捨区分別に順に階層構造を持つ。【選択図】図１
2006186751.tif 000002
【特許請求の範囲】
【請求項１】
表示処理装置に、撮影装置と表示装置とが接続されてなる撮影画像表示システムであって、
前記表示処理装置は、
前記撮影装置に接続し、前記撮影装置が撮影した画像データのうち未処理画像データを検索し読込む読込手段と、
前記読込んだ画像データの管理情報を管理テーブルに登録する登録手段と、
前記撮影装置又は前記表示装置からの指示に従い、前記登録した画像データを、前記表示装置に表示させる表示手段と、
前記撮影装置又は前記表示装置からの指示に従い、前記画像データを所定の項目について区分けする区分け手段と、を具備し、
前記撮影装置又は前記表示装置は、
前記表示処理装置に前記画像データの表示及び区分けについて指示する指示手段、を具備することを特徴とする撮影画像表示システム。
【請求項２】
前記未処理画像データを読み込み、該未処理画像データの現像処理を行う処理手段を更に備えることを特徴とする請求項１記載の撮影画像表示システム。
【請求項３】
前記区分け手段は、前記表示を行ったか否かを前記管理テーブルに記録し、
前記表示手段は、前記管理テーブルを参照して未表示画像を抽出し、前記表示装置に表示させることを特徴とする請求項１記載の撮影画像表示システム。
【請求項４】
前記表示手段は、前記撮影装置又は前記表示装置からの指示に従い、前記画像データの一覧表示、又は特定画像表示を行うことを特徴とする請求項１記載の撮影画像表示システム。
【請求項５】
前記区分け手段は、前記画像データを顧客別のフォルダで管理し、
更に、前記顧客別フォルダを、日付或いはイベント別のフォルダで分類管理し、
更に、前記日付或いはイベント別のフォルダは、前記撮影装置又は前記表示装置からの指示に従い取捨分類された、取捨別フォルダで分類管理することを特徴とする請求項１記載の撮影画像表示システム。
【請求項６】
前記表示処理装置及び前記撮影装置からアクセス可能であり、前記画像データを保持する記憶装置を具備することを特徴とする請求項１に記載の撮像画像表示システム。
【請求項７】
撮影装置と表示装置とに接続されてなる表示処理装置であって、
前記撮影装置に接続し、前記撮影装置が撮影した画像データのうち未読込画像データを検索し読込む読込手段と、
前記読込んだ画像データの管理情報を管理テーブルに付加して登録する登録手段と、
前記撮像装置又は前記表示装置から受信した指示情報に従い、前記登録した画像データを、前記表示装置に表示させるための表示情報を生成する表示情報生成手段と、
前記撮影装置又は前記表示装置からの指示に従い、前記画像データを所定の項目について区分けする区分け手段と、を具備し、
前記撮影装置又は前記表示装置から、前記画像データの表示及び区分けについての指示に従い、前記画像データ処理を行うことを特徴とする表示処理装置。
【請求項８】
前記未処理画像データを読み込み、該未処理画像データの現像処理を行う処理手段を更に備えることを特徴とする請求項７記載の表示処理装置。
【請求項９】
前記区分け手段は、前記表示を行ったか否かを前記管理テーブルに記録し、
前記表示手段は、前記管理テーブルを参照して未表示画像を抽出し、前記表示装置に表示させることを特徴とする請求項７記載の表示処理装置。
【請求項１０】
前記表示情報生成手段は、前記撮影装置又は前記表示装置からの指示に従い、前記画像データの一覧表示、又は特定画像表示を行うための表示情報を生成することを特徴とする請求項７記載の表示処理装置。
【請求項１１】
前記区分け手段は、前記画像データを顧客別のフォルダで管理し、
更に、前記顧客別フォルダを、日付或いはイベント別のフォルダで分類管理し、
更に、前記日付或いはイベント別のフォルダは、前記撮影装置又は前記表示装置からの指示に従い取捨分類された、取捨別フォルダで分類管理することを特徴とする請求項７記載の表示処理装置。
【請求項１２】
コンピュータを、請求項１乃至請求項１１のいずれかに記載された表示処理装置として機能させるプログラム。
【発明の詳細な説明】
【技術分野】
【０００１】
本発明は、デジタルカメラで撮影した画像を、表示装置に表示させて好適な写真を選択させる撮影画像表示システム等に関する。
【背景技術】
【０００２】
従来、写真撮影スタジオでは、銀塩カメラと同期させて撮影したデジタルカメラの画像を、表示装置に表示させて好適な写真を選択させる仕組みが開示されている（例えば、［特許文献１］参照。）［従来技術１］。
【０００３】
また、高解像度のデジタルカメラ(デジタル一眼レフカメラ等)をパーソナルコンピュータ等の情報処理装置に接続したシステムがある。即ち、パーソナルコンピュータの記憶装置（ハードディスク等）にデジタルカメラで撮影した画像データを読み込み、読み込んだ画像を現像処理ソフトウェアで処理して記憶装置に保存する。次に、現像処理された画像を画像表示ソフトウェアで読み込み、液晶ディスプレイ等に表示させるシステムがある［従来技術２］。
【０００４】
【特許文献１】特開２０００−０６６２９６号公報
【発明の開示】
【発明が解決しようとする課題】
【０００５】
しかしながら、上記［従来技術１］は、デジタルカメラの撮影番号と顧客番号とを、同時に撮影する銀塩カメラの磁気記録用ヘッドを通じて磁気記録層を有する写真フィルムに焼き付けておき、後で行う写真の照合と識別作業の軽減を図るものである。写真に実際に使用するのは銀塩カメラであり、複数枚撮影した上でどのコマを現像するかを選択することはできても、写真の識別作業が必要な上に、現像や焼付けが必要である。従って利用客に撮影当日に写真を渡すことはできず、利用客は後日写真撮影スタジオまで写真を受け取りに来る必要があるという問題点がある。
【０００６】
また、上記［従来技術２］によれば、高解像度デジタルカメラの画像をディスプレイに表示することが可能であるが、デジタルカメラ撮影画像の取り込み、現像処理、画像表示、画像の選択、画像の印刷のステップが必要である。従って、カメラマン以外に操作助手が必要であり、人件費等のコストがかかる。また、撮影画像を表示するために、上記の処理が必要であるので、撮影時間がかかって、顧客をいらいらさせてしまうという問題があった。
【０００７】
また、撮影した画像を漏れなく表示したかどうかをチェックする方法はなかった。また、複数の顧客の撮影画像が混入する可能性があり、顧客別の画像情報管理が望まれている。
【０００８】
本発明で、解決しようとする問題点は、撮影画像の表示チェック漏れ、画像表示の処理ステップの複雑さ、及び画像データの管理方法である。
【０００９】
本発明は、このような問題を鑑みてなされたもので、その目的とするところは、撮影画像を簡単な操作で表示装置に表示させ、未表示画像をチェックし、撮影画像を分類管理する撮影画像表示システム等を提供することである。
【課題を解決するための手段】
【００１０】
前述した目的を達成するための第１の発明は、表示処理装置に、撮影装置と表示装置とが接続されてなる撮影画像表示システムであって、前記表示処理装置は、前記撮影装置に接続し、前記撮影装置が撮影した画像データのうち未処理画像データを検索し読込む読込手段と、前記読込んだ画像データの管理情報を管理テーブルに登録する登録手段と、前記撮影装置又は前記表示装置からの指示に従い、前記登録した画像データを、前記表示装置に表示させる表示手段と、前記撮影装置又は前記表示装置からの指示に従い、前記画像データを所定の項目について区分けする区分け手段と、を具備し、前記撮影装置又は前記表示装置は、前記表示処理装置に前記画像データの表示及び区分けについて指示する指示手段、を具備することを特徴とする撮影画像表示システムである。
【００１１】
撮影装置は、撮影画像データを取得する装置であり、例えば、高解像度デジタルカメラ等を用いることができる。
表示処理装置は、コンピュータ等のデータ処理装置である。尚、表示処理装置は、コンピュータに限らず、ワークステーションや専用ハードウェア等により構成しても良い。表示処理装置は、デジタルカメラ等の撮影装置と、プリンタ等の印刷装置と、液晶ディスプレイ等の表示装置の少なくとも１に、無線ＬＡＮ等を介して接続され、撮影画像データの授受が可能である。尚、接続方法は無線に限らず、通信線路で接続されていても良い。
【００１２】
現像処理とは、撮影装置（デジタルカメラ等）が撮影したＲＡＷデータ(ローデータ：生データのこと)、即ちＣＣＤ（Charge Coupled Device）等の撮像素子から得られたままのデジタル信号を、変換処理することである。即ち、現像処理は、ＲＡＷデータにホワイトバランス、コントラスト、色変換、圧縮処理等を施し、ＪＰＥＧ（Joint
Photographic Experts Group）等の画像ファイルに変換する処理である。
【００１３】
管理テーブルは、撮影画像データ個別の状態等を管理する。管理テーブルに登録する管理情報は、撮影画像データごとの一意の管理番号、画像データ名、現像区分、表示区分、取捨区分、印刷区分、顧客コード、格納フォルダ名等の項目を有する。
【００１４】
所定の項目とは、上記現像区分、表示区分、取捨区分、印刷区分、等である。表示処理装置は、撮影装置又は表示装置からの指示に従い、上記所定の項目に関して区分けを行う。区分けとは、表示処理装置が、上記所定の項目を更新（即ち管理テーブルの更新）する処理、及びフォルダ別保存を行う処理等である。
【００１５】
第１の発明による撮影画像表示システムは、表示処理装置に、撮影装置、印刷装置、表示装置等が接続されてなる。表示処理装置は、撮影装置に接続し、撮影装置が撮影した画像データのうち未処理画像データを検索し、未処理画像データを読み込んで現像処理を行い、現像処理した画像データの管理情報を管理テーブルに付加して登録する。また、表示処理装置は、撮影装置又は前記表示装置からの指示に従い、現像処理した画像データを、前記表示装置に表示させるための表示情報を生成する。また、表示処理装置は、撮影装置又は前記表示装置からの指示に従い、前記画像データを所定の項目について区分けする。
【００１６】
前記区分け手段は、前記表示を行ったか否かを前記管理テーブルに記録し、前記表示手段は、前記管理テーブルを参照して未表示画像を抽出し、前記表示装置に表示させることが望ましい。即ち、本撮影画像表示システムでは、表示区分による区分けが登録された管理テーブルを参照し、未表示画像を抽出して表示装置に表示させる。
前記表示手段は、前記撮影装置又は前記表示装置からの指示に従い、前記画像データの一覧表示、又は特定画像表示を行うことが望ましい。
前記区分け手段は、前記画像データを顧客別のフォルダで管理し、更に、前記顧客別フォルダを、日付或いはイベント別のフォルダで分類管理し、更に、前記日付或いはイベント別のフォルダは、前記撮影装置又は前記表示装置からの指示に従い取捨分類された、取捨別フォルダで分類管理することが望ましい。
前記表示処理装置及び前記撮影装置からアクセス可能であり、前記画像データを保持する記憶装置を具備するようにしても良い。記憶装置の装着位置は、無線ＬＡＮアダプタ内、表示処理装置内、撮影装置内、又は独立していても良いし、どこにあっても良い。
【００１７】
第１の発明では、表示処理装置は画像データの管理情報を管理テーブルに付加し、所定の項目について区分けして登録する。管理テーブルを参照することにより、未表示画像の表示漏れを防ぐ効果がある。また、表示処理装置が、現像処理を行い、撮影装置又は表示装置からの指示で画像データの表示切替（一覧表示等）を行うので、画像撮影から画像表示等の処理、又画像選択の処理等が簡単に行えるという効果がある。
【００１８】
第２の発明は、撮影装置と表示装置とに接続されてなる表示処理装置であって、前記撮影装置に接続し、前記撮影装置が撮影した画像データのうち未読込画像データを検索し読込む読込手段と、前記読込んだ画像データの管理情報を管理テーブルに付加して登録する登録手段と、前記撮像装置又は前記表示装置から受信した指示情報に従い、前記登録した画像データを、前記表示装置に表示させるための表示情報を生成する表示情報生成手段と、前記撮影装置又は前記表示装置からの指示に従い、前記画像データを所定の項目について区分けする区分け手段と、を具備し、前記撮影装置又は前記表示装置から、前記画像データの表示及び区分けについての指示に従い、前記画像データ処理を行うことを特徴とする表示処理装置である。
【００１９】
第３の発明は、コンピュータを請求項１乃至請求項１１のいずれかに記載された表示処理装置として機能させるプログラムである。
【００２０】
第３の発明のプログラムは、コンピュータを請求項１乃至請求項１１のいずれかに記載された表示処理装置として機能させるものであり、このプログラムをネットワークを介して流通させることもできる。
【発明の効果】
【００２１】
本発明によれば、撮影画像をカメラ側等の簡単な操作で表示装置に表示させ、撮影画像の表示をチェックし、撮影画像を分類管理する撮影画像表示システムを提供することができる。
【発明を実施するための最良の形態】
【００２２】
以下に、図面に基づいて本発明の実施の形態を詳細に説明する。図１は、本実施の形態に係る撮影画像表示システム１の構成を示す図である。
【００２３】
（１．構成）
（１−１．撮影画像表示システム１の構成）
撮影画像表示システム１は、デジタルカメラ３、プリンタ等の印刷装置１１、コンピュータ等の表示処理装置９、及び液晶ディスプレイ等の表示装置１３から構成される。また、高解像度デジタルカメラ３（以降カメラ３と記載する）と、印刷装置１１と、表示処理装置９とは、互いに無線ＬＡＮアダプタ７を介して接続されている。
【００２４】
カメラ３には、ＬＡＮ（Local Area Network）接続する装置、例えばＬＡＮボード５等（ＬＡＮカード等でも良い）が装着され、撮影画像データを無線ＬＡＮを利用して送信することが可能である。また、カメラ３は記憶部６として内蔵記憶媒体を備え、撮影された画像データを当該記憶部６に記憶させる。内蔵記憶媒体とは、コンパクトフラッシュ（登録商標）（米国Sandisk Corporation）やスマートメディア（登録商標）（東芝）等である。
【００２５】
表示処理装置９は、カメラ３の記憶部６に登録されている画像データを、無線ＬＡＮを利用して外付けの記録媒体と同様に、参照したり、移動・コピー等を行ったりすることができる。
【００２６】
また、表示処理装置９は、カメラ３で撮影され登録された画像データをカメラ３の記憶部６から読み出して必要に応じて現像処理等を行い、液晶ディスプレイ等の表示装置１３に表示させる。本実施の形態では、高解像度デジタルカメラ３で撮影した画像データを表示処理装置９で処理し、大型液晶ディスプレイ等の表示装置１３に表示させる。表示装置１３の表示は、操作者によるカメラ３のボタン操作と連動し、顧客に表示装置１３に表示する画像データを提示しつつ、画像データの取捨、印刷等を現場で選択するシステムである。
【００２７】
尚、図１では、プリンタ等の印刷装置１１が無線ＬＡＮアダプタ７を介して表示処理装置９等と接続される図を示したが、通信線路等で直接表示処理装置９等と接続しても良い。
【００２８】
（１−２．表示処理装置９について）
次に、図２により表示処理装置９の構成を説明する。表示処理装置９は、コンピュータ等の情報処理端末であり、ＣＰＵ（Central Processing Unit）等の制御部１５と、フレキシブルディスクやＣＤ−ＲＯＭ等のメディアの読み込み書き込みを行うメディア入出力部１７と、ネットワークに接続するモデムやＬＡＮボード等の通信部１９と、ＣＲＴや液晶表示装置等の表示部２１と、外部表示装置に画像データを転送するビデオアダプタ２３と、キーボード、マウス又はマイク等の入力部２５と、プリンタ等の印刷部２７と、記憶部２９とから構成され、それぞれがシステムバス３７で接続されている。
【００２９】
記憶部２９は、読み書き可能なＲＡＭ（Random Access Memory）３１、読み出し専用のＲＯＭ（Read Only Memory）３３、ハードディスク３５で構成される。ＲＯＭ３３には、オペレーションシステム等が記録される。ＲＡＭ３１は、ハードディスク３５から読み出された画像管理プログラム３６及び現像処理プログラム３８及び現像処理プログラム３８用プロファイルデータを記憶すると共に、これらプログラムのワーク領域等として使用される。
【００３０】
ハードディスク３５には図３に示すように、本撮影画像表示システム１を実現させる画像管理プログラム３６と、カメラ３で撮影される画像の現像処理等を行う現像処理プログラム３８と、最新画像データ名３９と、管理テーブル４０と、撮影画像フォルダ４１、及び現像処理プログラム３８用プロファイルデータ（不図示）等が記憶される。現像処理は、色空間変換処理又はプロファイルデータに基づいてプロファイル適用処理を行うが、必ずしも実行する必要はない。最新画像データ名３９とは、カメラ３から表示処理装置９に読み込んだ最新の画像データ名のことであり、最新画像データ名３９を順次上書き保存していくことで、カメラ３内の画像データを既に表示処理装置９に読み込んだものかどうかを判断することができる。
【００３１】
管理テーブル４０は、カメラ３から読み込んだ画像データの所在、各種区分等を管理するデータであり、後で図５を用いて説明する。撮影画像フォルダ４１は、カメラ３から読み込んだ画像データを保存するフォルダであり、後で図６を用いて説明するが、撮影画像フォルダ４１は下に複数の階層構造を持ち、顧客別、イベント或いは日付別、印刷区分別のフォルダを有する。
【００３２】
（１−３．カメラ３について）
次に、図４により、カメラ３の操作などについて説明する。カメラ３は高解像度デジタルカメラであり、操作者がシャッタ４２を押下すると被写体が撮影され、画像データは、図１に示すカメラ３の記憶部６に登録される。撮影された画像データは、カメラ３の表示部４４に指定されたレイアウトで表示される。図３では、４つの画像データ４３−１、４３−２、４３−３、４３−４が一覧表示されている。例えば操作者が特定の１つの画像を選択して、表示部４４に１画像のみを大きく表示させることもできる。また、更に画像データを縮小して例えば８画像を同時に表示部４４に一覧表示するようにしても良い。
【００３３】
次に、図４のカメラ３の操作ボタンについて説明する。尚、それぞれの操作については、後で詳細に説明するが、ボタン操作は無線ＬＡＮを通じて表示処理装置９の制御部１５が認識し、それぞれの操作に対応する処理を行う。選択ボタン４５が１度押下されると指示された画像データを印刷候補データとする(後述するが、管理テーブル４０の取捨区分「１」として登録される)。不要ボタン４７が１度押下されると、指示された画像データを印刷しないデータとする(後述するが、管理テーブル４０の取捨区分「２」として登録される)。不要ボタン４７が２度押下されると、指示された画像データを物理的に削除する(後述するが、管理テーブル４０の取捨区分「３」として登録される)。
【００３４】
前画像表示ボタン４９が押下されると、指示された画像データの１つ前に撮影された画像を、表示部４４に表示させる。次画像表示ボタン５１が押下されると、指示された画像データの１つ後に撮影された画像を、表示部４４に表示させる。印刷指示ボタン５３が押下されると、表示処理装置９の制御部１５は、指示された画像データを印刷装置１１で印刷させる。
【００３５】
また、一覧表示ボタン５５の、例えば左上が押下されると画像４３−１が、表示部４４に１枚表示される。また、一覧表示ボタン５５の、例えば右下が押下されると画像４３−４が表示部４４に１枚表示される。尚、カメラ３の表示部４４に表示されると同時に、表示装置１３にも同じ画像データが表示される。
【００３６】
ＯＮボタン５７が押下されると、カメラ３の電源が投入される。カメラ３撮影を終了して、ＯＦＦボタン５９が押下されると、本撮影画像表示システム１を終了し、カメラ３の電源が切れる。
【００３７】
（２．処理手順）
次に、図５により、本実施の形態の撮影画像表示システム１における撮影画像表示手順等を説明する。本撮影画像表示システム１の操作者、即ち写真撮影スタジオ等のシステムオペレータは、カメラ３で顧客の写真を撮りつつ、画像を表示装置１３に表示させる。また、操作者は、順番に表示装置１３に表示される画像を顧客に提示し顧客の意見を聞きつつ、全撮影画像データの取捨・印刷等の指示をカメラ３の操作ボタンを用いて入力するものとする。
【００３８】
カメラ３は図４に示すように画像データを表示させる表示部４４と各種操作ボタンを有する。また、表示装置１３は、当該カメラ３の表示部４４に表示されるものと同じ画像を、液晶ディスプレイ等の比較的大きな画面でモニター表示させて顧客に提示する装置である。ここでは、表示装置１３には、画像に対する指示を行う操作ボタンは装着されていないものとして説明する。
【００３９】
まず操作者は、本撮影画像表示システム１の、カメラ３、表示処理装置９、表示装置１３、印刷装置１１、無線ＬＡＮアダプタ７等を駆動する（ステップ１０００）。
【００４０】
即ち、カメラ３のＯＮボタン５７や表示処理装置９の電源（図示していない）が投入されると、表示処理装置９の制御部１５はＲＯＭ３３からオペレーションシステムを起動後、本撮影画像表示システム１に係る処理プログラム（画像管理プログラム３６、現像処理プログラム３８）をハードディスク３５等からＲＡＭ３１にロードする。尚、本撮影画像表示システム１に係る処理プログラムを、ＣＤ−ＲＯＭや携帯型外部記憶装置等のメディアに登録しておき、メディア入出力部１７を介してロードするようにしても良い。また、図示していないが、本撮影画像表示システム１に係る処理プログラムを外部記憶装置から、通信部１９やシステムバス３７を介してロードするようにしても良い。
【００４１】
次に、制御部１５は、ハードディスク３５の撮影画像フォルダ４１にカメラ３が撮影する画像データを保存する格納フォルダを作成する。格納フォルダは、顧客別、及びイベント（或いは日付）別に作成される。格納フォルダの詳細については図７を用いて後述する。また、制御部１５は、ハードディスク３５中に画像データの所在や各種区分等を管理する管理テーブル４０(図６参照)を作成する。尚、この時点では、管理テーブル４０にも格納フォルダにも、未だデータは登録されていない。
【００４２】
ここで、図６により、管理テーブル４０について説明する。管理テーブル４０は、一意の管理番号６１と、画像データ名６３と、現像区分６５と、表示区分６７と、取捨区分６９と、印刷区分７１と、顧客コード７３と、格納フォルダ名７５から構成される。管理テーブル４０の１行は撮影された１画像データに対応する。
【００４３】
画像データが１つ追加されるごとに、制御部１５は管理テーブル４０に１行追加し、管理番号６１を採番する。管理番号６１は、一意の数字又は英数字と数字とを組み合わせた番号である。
【００４４】
画像データ名６３は、カメラ３に内蔵されている記憶部６に記録された画像データ名と同一で、数字又は英数字と数字とを組み合わせた番号である。
【００４５】
現像区分６５とは、例えば未現像画像データを「０」、現像済み画像データを「１」、現像失敗画像データを「２」と、区分して登録する。現像処理を行わず色変換処理を行なった場合も現像区分６５は「１」に更新される。表示区分６７とは、未表示データを「０」、表示済データを「１」と、区分して登録する。取捨区分６９とは、保留画像データを「０」、印刷予定画像データを「１」、不要画像データを「２」、物理削除するデータを「３」と、区分して登録する。印刷区分７１は、未印刷画像データを「０」、印刷済画像データを「１」と、区分して登録する。
【００４６】
顧客コード７３は、画像の撮影を依頼した顧客を特定し識別するための情報であり、数字又は英数字と数字を組み合わせた、例えば８桁程度のコードである。例えば顧客コード７３「ＫＭＭ０２３０５」等とする。
【００４７】
格納フォルダ名７５は、この画像を格納するフォルダ名であり、格納フォルダの名称は、例えば「撮影年月日＋顧客コード７３」として構成する。例えば格納フォルダ名７５が「０４１１０１ＫＭＭ０２３０５」は、撮影年月日が「２００４年１１月１日」、顧客は顧客コード７３「ＫＭＭ０２３０５」を示す。即ち、管理テーブル４０は、画像データの各種指定区分（現像、表示、取捨、印刷等）と、顧客情報、当該画像データを格納する格納フォルダ情報を管理する。
【００４８】
次に、図７を用いて格納フォルダ８１−１〜８１−４について説明する。格納フォルダ８１−１〜８１−４は、カメラ３で撮影された画像データを表示処理装置９が読み出し、現像処理後に格納するフォルダであり、ハードディスク３５の撮影画像フォルダ４１の下の階層に、顧客別、及びイベント（或いは日付）別に作成される。図７にハードディスク３５に格納される撮影画像フォルダ４１の階層構造を示す。ハードディスク３５には、顧客ごとにフォルダが作成される。例えば図７に示す、顧客Ａのフォルダ７７、顧客Ｂのフォルダ７９等である。
【００４９】
更に、顧客ごとにイベント別、或いは日付別に、顧客別フォルダの下の階層に格納フォルダ８１−１〜８１−４が作成される。例えば顧客Ａのフォルダ７７は、日付別に格納フォルダ８１−１、８１−２が作成される。図７に示す格納フォルダ８１−１は、撮影年月日「２００４年１１月１日」、顧客「Ａ」の情報からフォルダ名「０４１１０１Ａ」を作成したものである。同様に、格納フォルダ８１−２は、撮影年月日「２００４年１１月２日」、顧客「Ａ」の情報からフォルダ名「０４１１０２Ａ」が作成される。
【００５０】
従って、本撮影画像表示システム１を起動させると、制御部１５は、前述の管理テーブル４０と、顧客別で更に日付(又はイベント)別の格納フォルダ８１−１等を、ハードディスク３５に作成する。なお、管理テーブル４０の名称は例えば撮影年月日と顧客コードを組み合わせたものとする。例えば撮影年月日「２００４年１１月１日」、顧客「Ａ」の情報から名称を「０４１１０１Ａ．ｔｂｌ」とする。
【００５１】
尚、図７に示す格納フォルダ８１−１〜８１−４の更に下の階層にあたる印刷フォルダ８３−１〜８３−４と、印刷不要フォルダ８５−１〜８５−４とは、本撮影画像表示システム１の終了指示後に作成されるフォルダであり、詳細については後述する。
【００５２】
ここで、図５の処理手順の説明に戻る。ステップ１０００により、図１に示す撮影画像表示システム１を構成する機器が駆動される。本撮影画像表示システム１の操作者がカメラ３で顧客の写真を撮ると、カメラ３の記憶部６に画像データが画像データ名と共に登録される。
【００５３】
尚、ここではカメラ３の記憶部６に登録されている画像データは、カメラ３の撮像素子（ＣＣＤデバイス等）から得られたままのＲＡＷデータといわれるデジタル信号データである。
【００５４】
以下のステップ１００１乃至ステップ１０１９は、制御部１５の制御の下で表示処理装置９及び表示処理装置９と協働する表示装置１３で実行される。
表示処理装置９の制御部１５は、通信部１９から無線ＬＡＮアダプタ７を介してカメラ３のＬＡＮボード５に接続し、カメラ３の記憶部６に登録されている画像データをチェックする(ステップ１００１)。即ち制御部１５は、ハードディスク３５に登録されている最新画像データ名３９と、カメラ３の記憶部６に登録される画像データ名とを照合する。尚、カメラ３の撮影画像データの画像データ名に使用する数値は昇順に採番するものとする。
【００５５】
最新画像データ名３９よりも新しい画像データがカメラ３の記憶部６に存在する場合、例えばハードディスク３５に登録されている最新画像データ名３９が、「Ｐ００００１２８」であるとする。カメラ３の記憶部６に画像データ名「Ｐ００００１２９」の画像データがあれば、当該画像を未処理画像として認識し、制御部１５は当該画像に関するデータを管理テーブル４０に追加する。追加処理は以下のように行う。
【００５６】
制御部１５は、一意の管理番号６１を採番して（例えば図６の管理テーブル４０に新規管理番号６１「・・・・５」を追加する）管理テーブル４０に新規レコード（新しい行）を追加する。新規レコードの初期値は、画像データ名６３には、当該新しい画像データ名「Ｐ００００１２９」を登録し、現像区分６５、表示区分６７、取捨区分６９、印刷区分７１には何れも「０」を指定する。また、顧客コード７３は、本撮影画像表示システム１を起動させる際、操作者がキーボード等の入力部２５から顧客名を入力すると自動的に入力されるようにしても良い。
【００５７】
尚、最新画像データ名３９よりも新しい画像データが複数件あれば、制御部１５は管理テーブル４０に同数の新規レコードを追加する。新規レコードの追加が完了すると、制御部１５は最後に追加した画像データ名６３、即ち上記の例では、画像データ名「Ｐ００００１２９」をハードディスク３５に登録されている最新画像データ名３９に上書きする。
【００５８】
次に制御部１５は、管理テーブル４０の現像区分６５をチェックして、未現像の画像データ(即ち現像区分が「０」)のレコードが有るかどうかを判定し、未処理画像があれば（ステップ１００２のＹＥＳ）、カメラ３の記憶部６から画像データをＲＡＭ３１に読み込む（ステップ１００３）。次に制御部１５は、読み込んだ画像データを、現像処理プログラム３８を用いて現像・色変換処理を行う（ステップ１００４）。
【００５９】
現像処理プログラム３８が行う現像処理とは、カメラ３の撮像素子から得られるＲＡＷデータを、ＪＰＥＧ等のデータに変換することである。また、色変換処理とは、現像処理された画像データに、ハードディスク３５に記憶された所定のプロファイルを適用し、ディスプレイ表示のために色空間変換処理を行うことである。なお、撮影装置側ではＲＡＷデータで撮影画像を記憶せず、ＪＰＥＧデータ等で記憶する場合があるので現像処理プログラムは必ずしも実行する必要はなく、色変換処理（プロファイルの適用等）が実行される。又、スピーディーに表示させるために、色変換も省略することができる。
【００６０】
制御部１５は、現像・色変換処理後の画像データをハードディスク３５の撮影画像フォルダ４１の例えば所定の格納フォルダ８１−１に登録し、管理テーブル４０の当該画像の現像区分６５を「０」から「１」に更新して、処理をステップ１００１に戻す。現像処理や色変換処理を省略した場合も、現像区分６５を「０」から「１」に更新する。
【００６１】
ステップ１００２に戻り、管理テーブル４０の現像区分６５をチェックして、未現像の画像データ(即ち現像区分が「０」)がなければ（ステップ１００２のＮＯ）、操作情報チェックのステップに進む。
【００６２】
図４に示すカメラ３の操作ボタンが操作されると、操作情報は無線ＬＡＮアダプタ７を介して表示処理装置９のＲＡＭ３１の操作情報記憶領域（図示していない）に送られる。制御部１５は当該操作情報記憶領域をチェックし（ステップ１００５）、操作内容ごとに以下のステップを実行する。尚、制御部１５がＲＡＭ３１の操作情報記憶領域をチェックし終えるごとに当該領域の値は初期化される。
【００６３】
制御部１５がＲＡＭ３１の操作情報記憶領域をチェックし、前又は次画像表示の指示があった場合、即ちカメラ３の前画像表示ボタン４９又は次画像表示ボタン５１が押された時（ステップ１００６のＹＥＳ）、制御部１５は選択された画像データをハードディスク３５の格納フォルダ８１−１からビデオアダプタ２３を経由して表示装置１３に送り、前画像又は次画像を表示させる（ステップ１００７）。同時にカメラ３の表示部４４にも同じ画像データが表示される。また、制御部１５は、管理テーブル４０の当該画像データの表示区分６７を「０」から「１」に更新し、処理をステップ１００１に戻す。
【００６４】
前又は次画像表示の指示がなかった場合には（ステップ１００６のＮＯ）、次の項目の操作情報チェックを行う。
【００６５】
次に、制御部１５がＲＡＭ３１の操作情報記憶領域をチェックし、印刷の指示があった場合、即ちカメラ３の印刷指示ボタン５３が押された時（ステップ１００８のＹＥＳ）、制御部１５は現在表示している画像データをプリンタ等の印刷装置１１で印刷させる(ステップ１００９)。また、制御部１５は、管理テーブル４０の当該画像データの印刷区分７１を「０」から「１」に更新し、処理をステップ１００１に戻す。
【００６６】
印刷指示がなかった場合には（ステップ１００８のＮＯ）、次の項目の操作情報チェックを行う。
【００６７】
次に、制御部１５がＲＡＭ３１の操作情報記憶領域をチェックし、一覧表示指示があった場合、即ちカメラ３の一覧表示ボタン５５が押された時（ステップ１０１０のＹＥＳ）、制御部１５は現在表示している画像データから次の４つの画像をビデオアダプタ２３を経由して表示装置１３に送って一覧表示（縮小表示）させる（ステップ１０１１）。同時にカメラ３の表示部４４にも同じ一覧画像データが表示される。尚、一覧表示する画像データ数は、４つに限定されず、種々のコマ数を選択できるようにしても良い。制御部１５は、一覧表示処理後、ステップ１０１２に進む。
【００６８】
一覧表示指示がなかった場合（ステップ１０１０のＮＯ）、処理はステップ１０１２に進む。
【００６９】
尚、ステップ１００６において、画像データが一覧表示された状態で、前又は次画像表示の指示があった場合は、制御部１５は次の所定数の画像データ又は前の所定数の画像データを表示装置１３とカメラ３の表示部４４に一覧表示させる。
【００７０】
次に、制御部１５がＲＡＭ３１の操作情報記憶領域をチェックし、特定画像選択指示があった場合、即ち一覧表示画面においてカメラ３の一覧表示ボタン５５の右上、右下、左上、左下の内のいずれかが押された時（ステップ１０１２のＹＥＳ）、制御部１５は選択された画像データをビデオアダプタ２３を経由して表示装置１３に送り、選択された画像を表示させる（ステップ１０１３）。同時にカメラ３の表示部４４にも同じ画像データが表示される。また、制御部１５は、管理テーブル４０の当該画像データの表示区分６７が「０」の場合は「１」に更新し、処理をステップ１０１４に進める。
【００７１】
特定画像選択指示がなかった場合には（ステップ１０１２のＮＯ）、処理はステップ１０１４に進める。
【００７２】
次に、制御部１５がＲＡＭ３１の操作情報記憶領域をチェックし、画像の取捨選択指示があった場合、即ちカメラ３の選択ボタン４５又は不要ボタン４７が押された時（ステップ１０１４のＹＥＳ）、制御部１５は取捨指示に従って画像を分類し（ステップ１０１５）、ステップ１０１６に進む。
【００７３】
画像の分類とは、指示された画像に対し、選択ボタン４５が押されると、印刷予定の画像データとして制御部１５は当該画像データの取捨区分６９を「０」から「１」に更新し、格納フォルダ８１−１の下の階層に印刷フォルダ８３−１を作成して当該画像データを格納フォルダ８１−１から印刷フォルダ８３−１に移動させる。
【００７４】
指示された画像に対し、不要ボタン４７が押されると、当該画像データは印刷不要の指示があったとして制御部１５は当該画像データの取捨区分６９を「０」から「２」に更新し、格納フォルダ８１−１の下の階層に印刷不要フォルダ８５−１を作成して当該画像データを格納フォルダ８１−１から印刷不要フォルダ８５−１に移動させる。
【００７５】
指示された画像に対し、不要ボタン４７が２度押されると、物理削除する画像データとして制御部１５は当該画像データの取捨区分６９を「３」に更新し、当該画像データを物理削除する。
【００７６】
尚、印刷予定とされた画像データを、印刷不要に指定しなおすことも可能である。この場合、制御部１５は当該画像データを、印刷フォルダ８３−１から印刷不要フォルダ８５−１に移動させ、管理テーブル４０の取捨区分を「１」から「２」に更新する。
【００７７】
また、逆に印刷不要とされた画像データを、印刷予定に指定しなおすことも可能である。この場合、制御部１５は当該画像データを、印刷不要フォルダ８５−１から印刷フォルダ８３−１に移動させ、管理テーブル４０の取捨区分を「２」から「１」に更新する。
【００７８】
以降、管理テーブル４０の取捨区分６９が印刷予定であるか否かにより、一覧表示指示がなされた場合、制御部１５は、画像データを異なる外枠色等で表示装置１３及びカメラ３の表示部４４に表示させる。即ち、印刷予定が指定された画像データ（即ち管理テーブル４０の取捨区分６９が「１」である）は、表示枠を青色で表示し、印刷不要を指定された画像データ（即ち管理テーブル４０の取捨区分６９が「２」である）は、表示枠を赤色で表示する。
【００７９】
尚、異なる色で表示させるのではなく、異なる枠柄で表示させるようにしても良い。また、印刷予定が指定された画像データを通常の色で表示し、印刷不要と指定された画像データ全体を薄い色で表示させるようにしても良い。
【００８０】
このように、取捨区分６９により画像データの表示を変える構成とすることで、印刷予定画像データと印刷不要画像データとを容易に識別することが可能になる。従って、画像データの印刷の指定忘れや、不要画像の印刷等を防止する効果がある。
【００８１】
画像データの取捨指示がなかった場合には（ステップ１０１４のＮＯ）、処理はステップ１０１６に進める。
【００８２】
次に、制御部１５は、管理テーブル４０の照会を行い、表示区分６７が「０」の画像データがあると（ステップ１０１６のＹＥＳ）、未表示画像の表示処理を行い（ステップ１０１７）、処理をステップ１００１に戻す。
【００８３】
即ち、ステップ１０１７では、制御部１５は未表示画像を、例えば撮影が早い順に表示装置１３及びカメラ３の表示部４４に所定時間（例えば１５秒間）表示させ、処理をステップ１００１に戻す。未表示画像を自動的に表示させることにより、撮影した画像の取りこぼしやチェック漏れを防ぐことが可能となる。
【００８４】
未表示画像が無かった場合は（ステップ１０１６のＮＯ）、処理をステップ１０１８に進める。
【００８５】
次に、制御部１５がＲＡＭ３１の操作情報記憶領域をチェックし、終了指示があった場合、即ちカメラ３のＯＦＦボタン５９が押された場合（ステップ１０１８のＹＥＳ）、制御部１５はステップ１０１９の後処理に進む。ＯＦＦボタン５９が押されていない場合には（ステップ１０１８のＮＯ）、制御部１５は処理をステップ１００１に戻す。
【００８６】
ステップ１０１９の後処理とは、保留、即ち取捨区分６９が「０」になっている画像データの処理を行うことである。制御部１５は、管理テーブル４０を参照して、取捨区分６９が「０」である画像データを、「これらの画像の印刷要否を指定してください」というメッセージとともに、順に表示装置１３やカメラ３の表示部４４に表示させる。操作者が、取捨区分「０」であった画像データの取捨選択を行うと、制御部１５は、画像データを印刷フォルダ８３−１又は印刷不要フォルダ８５−１に全て振り分けて格納し、本実施の形態の撮影画像表示システムの処理を終了する。
【００８７】
尚、印刷フォルダ８３−１又は印刷不要フォルダ８５−１は、顧客別のフォルダの、更にイベント別の格納フォルダ８１−１の更に下の階層に作成される。取捨区分「０」（即ち印刷要否が未定）であった画像データは、ステップ１０１９の処理により、格納フォルダ８１−１から印刷フォルダ８３−１又は印刷不要フォルダ８５−１に全て移動して格納される。
【００８８】
尚、図７に示す印刷フォルダ８３−１のフォルダ名「０４１１０１ＡＰ」は、撮影年月日「２００４年１１月１日」、顧客コード「Ａ」、印刷予定（Print）「Ｐ」の意味を有する。上記フォルダ名は、一例であり例えば顧客コードなどは数字と英数字の組み合わせにより８桁程度の顧客コードを利用することが望ましい。また、イベントを判別するのは撮影年月日だけでなく、例えば「お正月」を示すコードに「Jan」、「七五三」を示すコードに「Nov」等を付加するようにして、ファイル名だけでイベントを連想できるようなものにしても良い。
【００８９】
また、印刷不要フォルダ８５−１のフォルダ名「０４１１０１ＡＤ」の最後の「Ｄ」は、ここでは印刷不要の意味で「Delate」のＤを付与した。
【００９０】
（３．第２の実施の形態）
次に、第２の実施例について説明する。図８は、第２の実施例に係る表示装置１３を示す図である。前述の第１の実施例における表示装置１３は、カメラ３の表示部４４と同じ画面を表示装置１３の大画面にモニター表示する機能のみを有するものとして説明したが、第２の実施例の表示装置１３は表示パネルの少なくとも一部がタッチパネルで構成され、このタッチパネルから各種操作を行う。
【００９１】
この場合、図８の表示画面８７、画像８９−１〜画像８９−４は、それぞれ、図４の表示部４４、画像４３−１〜画像４３−４に対応する。
また、図８の選択ボタン９１、不要ボタン９３、前画像表示ボタン９５、次画像表示ボタン９７、印刷指示ボタン９９、一覧表示ボタン１０１、開始ボタン１０３、終了ボタン１０５は、それぞれ、図４の選択ボタン４５、不要ボタン４７、前画像表示ボタン４９、次画像表示ボタン５１、印刷指示ボタン５３、一覧表示ボタン５５、ＯＮボタン５７、ＯＦＦボタン５９に対応する。
【００９２】
表示装置１３の表示パネルの例えば左端部、右端部、又は下端部がタッチパネルになっており、前画面や次画面の表示指示、表示画面の印刷指示、一覧表示指示、画像の取捨選択、撮影表示の開始終了指示の入力を行うことができる。操作ボタンは、カメラ３の操作ボタン（図４に示す）と同様であるので詳しい説明は省略する。表示パネルの操作ボタン部分に操作者の指が触れると、触れた位置の座標データが表示処理装置９のＲＡＭ３１に転送され、座標データに基づいて操作指示が判断される。
【００９３】
第２の実施の形態では、図８の開始ボタン１０３が押されると、表示処理装置９の制御部１５は本撮影画像システム１の処理を開始する。以降の処理は第１の実施の形態と同様であるので説明を省略する。
【００９４】
尚、第２の実施の形態においても、カメラ３の表示部４４は表示装置１３の表示画面８７と同じ画像を表示する。また、カメラ３の各種操作ボタンの指示が表示装置１３の操作ボタンからの指示に割り込むような処理を行うようにしてもよい。即ち、カメラ３の操作ボタンと表示装置１３の操作ボタンの両方を、どちらからでも操作できるようにしても良い。
【００９５】
（４．その他）
上記実施の形態では、本撮影画像システム１の処理終了後は、画像データは全て顧客別・イベント別に印刷予定フォルダと印刷不要フォルダに分類してハードディスク３５に格納するとしたが、処理終了後にシステムバス３７等を介して外部のデータベースに格納するようにしても良い。また、画像データをメディア入出力部１７を介してＣＤ−Ｒ等にコピーして顧客に販売するようにしても良い。
【００９６】
撮影された画像データのやりとりについては、上記実施の形態では、表示処理装置９がカメラ３の記憶部６をチェックして未現像画像データを読み出すようにしたが、記憶部６内に画像データを残すようにしても良いし(表示処理装置９が画像データをコピーして読み出す)、表示処理装置９が画像データを記憶部６から移動させて読み出すようにしても良い。
【００９７】
また、上記実施の形態では、表示処理装置９がカメラ３の記憶部６をチェックして未現像画像データを読み出すようにしたが、カメラ３の制御手段（図示していない）が、記憶部６に登録した画像データを、表示処理装置９のハードディスク３５の所定のフォルダにコピーするようにしても良い。或いは、カメラ３の制御手段は、画像データをカメラ３の記憶部６に登録しないで、直接画像データを表示処理装置９のハードディスク３５の所定のフォルダに移動するようにしても良い。或いは、いわゆるストレージャ等のネットワーク接続可能な別のハードディスクやメモリ等を備えた別の記憶装置に記憶しても良い。このような構成にすると、カメラ３側の記憶部６の容量を気にしないで撮影を行うことができ、カメラ３の内蔵電池の消耗を最小にすることができる。また、表示処理装置９が画像データを取得するためのタイムラグを削減でき、迅速に画像データの現像処理を行うことが可能になる。
【００９８】
また、本実施の形態では、カメラ３で撮影した画像データはカメラ３の記憶部６に一度登録された後、表示処理装置９の制御部１５から読み出されるとしたが、無線ＬＡＮアダプタ７に一時記憶装置を装着し、カメラ３で撮影された画像データを直接、無線ＬＡＮアダプタ７の一時記憶装置に登録させるようにしても良い。表示処理装置９の制御部１５は、当該一時記憶装置に登録される画像データを順次制御部１５に移動させるようにすれば、撮影画像をチェックするステップ１００１の処理をスキップし、処理速度を速める効果がある。
【００９９】
（５．効果等）
このように、本実施の形態では、写真撮影スタジオ等のカメラ３の操作者（カメラマン等）は、デジタルカメラの撮影や表示操作をしつつ、撮影した画像データの取捨選択（印刷の要否指定）を簡単に行うことができる。従って画像データの現像処理や表示、取捨選択業務を行う助手等の人件費を低減する効果がある。
【０１００】
また、撮影業務を迅速に行うことができるので、特に七五三、成人の日、卒業式シーズンなど、撮影業務の繁忙期には顕著な効果を有する。
【０１０１】
また、本実施の形態では、撮影した画像を顧客ごとのファイルに分類し、さらに顧客ごとのイベント別（又は日付別）のファイルに分類する処理を行うので、異なる顧客の画像データの混在や混入する事故を防止する効果がある。
【０１０２】
また、本実施の形態では、カメラ３で撮影された全ての画像データについて、表示装置１３に表示したかどうかをチェックし、又全ての画像データについて取捨選択（印刷の要否指定）を指定したかどうかをチェックするので、撮影画像の見落とし事故を防止することができる。
【０１０３】
また、印刷の要否指定は、画像データを一覧表示した時に、印刷の要否により異なる画像枠の色で表示装置１３に表示させるので、印刷の要否を視覚的に容易に確認することが可能である。従って不要な画像データを印刷するミスを防止することができる。
【０１０４】
尚、本発明の技術的範囲は、前述した実施の形態に限られるものではない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【０１０５】
【図１】本実施の形態における撮影画像表示システム１の構成を示す図
【図２】表示処理装置９の構成を示す図
【図３】ハードディスク３５の構成を示す図
【図４】カメラ３の操作ボタンを示す図
【図５】表示処理装置９の処理フローチャート
【図６】管理テーブル４０を示す図
【図７】撮影画像フォルダ４１の構成を示す図
【図８】表示装置１３を示す図
【符号の説明】
【０１０６】
１………撮影画像表示システム
３………カメラ
５………ＬＡＮボード
６………記憶部
７………無線ＬＡＮアダプタ
９………表示処理装置
１１………印刷装置
１３………表示装置
１５………制御部
１７………メディア入出力部
１９………通信部
２１………表示部
２３………ビデオアダプタ
２５………入力部
２７………印刷部
２９………記憶部
３１………ＲＡＭ
３３………ＲＯＭ
３５………ハードディスク
３６………画像管理プログラム
３７………システムバス
３８………現像処理プログラム
３９………最新画像データ名
４０………管理テーブル
４１………撮影画像フォルダ
４２………シャッタ
４４………表示部
４３−１〜４３−４、８９−１〜８９−４………画像
４５、９１………選択ボタン
４７、９３………不要ボタン
４９、９５………前画像表示ボタン
５１、９７………次画像表示ボタン
５３、９９………印刷指示ボタン
５５、１０１………一覧表示ボタン
５７………ＯＮボタン
５９………ＯＦＦボタン
６１………管理番号
６３………画像データ名
６５………現像区分
６７………表示区分
６９………取捨区分
７１………印刷区分
７３………顧客コード
７５………格納フォルダ名
７７………顧客Ａのフォルダ
７９………顧客Ｂのフォルダ
８１−１〜８１−４………格納フォルダ
８３−１〜８３−４………印刷フォルダ
８５−１〜８５−４………印刷不要フォルダ
１０３………開始ボタン
１０５………終了ボタン
【図１】
2006186751.tif 000003
【図２】
2006186751.tif 000004
【図３】
2006186751.tif 000005
【図４】
2006186751.tif 000006
【図５】
2006186751.tif 000007
【図６】
2006186751.tif 000008
【図７】
2006186751.tif 000009
【図８】
2006186751.tif 000010